(57)【要約】【課題】効率良くチャンネル探索を行うデジタル放送受信装置を提供すること。【解決手段】デジタル放送受信装置は、指定されたチャンネルの周波数の信号を受信するチューナ部と、チューナ部が受信した信号をＯＦＤＭ復調するＯＦＤＭ復調手段と、現在の受信地域を設定する地域設定部と、各地域の隣接地域のデータを含む隣接地域テーブルに基づいて、地域設定部に設定された地域の隣接地域を特定する隣接地域特定部と、各受信地域に対応する放送局のデータを含む地域別放送局テーブルに基づいて、隣接地域特定部が特定した隣接地域の放送局のデータを含む隣接地域放送局テーブルを作成する隣接地域放送局テーブル作成部と、隣接地域放送局テーブルに基づいて、チューナ部に選局指示を行う制御部とを備える。【選択図】図１
2009253813.tif 000002
【特許請求の範囲】
【請求項１】
指定されたチャンネルの周波数の信号を受信するチューナ部と、
前記チューナ部が受信した信号をＯＦＤＭ復調するＯＦＤＭ復調手段と、
現在の受信地域を設定する地域設定部と、
各地域の隣接地域のデータを含む隣接地域テーブルに基づいて、前記地域設定部に設定された地域の隣接地域を特定する隣接地域特定部と、
各受信地域に対応する放送局のデータを含む地域別放送局テーブルに基づいて、前記隣接地域特定部が特定した隣接地域の放送局のデータを含む隣接地域放送局テーブルを作成する隣接地域放送局テーブル作成部と、
前記隣接地域放送局テーブルに基づいて、前記チューナ部に選局指示を行う制御部と、
を備えることを特徴とするデジタル放送受信装置。
【請求項２】
前記隣接地域テーブル、前記地域別放送局テーブル及び前記隣接地域放送局テーブルの少なくともいずれか１つを取得する情報取得部を備えることを特徴とする請求項１に記載のデジタル放送受信装置。
【請求項３】
前記制御部は、前記隣接地域放送局テーブルが示す放送局に割り当てられた周波数の情報に基づいてチャンネルスキャンを行い、
当該デジタル放送受信装置が視聴可能な視聴用チャンネルリストを作成する視聴用チャンネルリスト作成部を備えることを特徴とする請求項１又は２に記載のデジタル放送受信装置。
【請求項４】
前記隣接地域放送局テーブルが示す放送局に割り当てられた周波数の情報に基づいてチャンネルスキャン方向が設定されることを特徴とする請求項３に記載のデジタル放送受信装置。
【請求項５】
前記隣接地域テーブル及び前記地域別放送局テーブルの少なくともいずれか一方を記憶する情報記憶部を備えることを特徴とする請求項１〜４に記載のデジタル放送受信装置。
【請求項６】
前記地域設定部は、前記隣接地域放送局テーブルが示す放送局に割り当てられた周波数の情報に基づいてチャンネルスキャンした結果と、前記チューナ部が受信した地域識別情報とから、各地域の検出率を算出して前記現在の受信地域を特定することを特徴とする請求項３に記載のデジタル放送受信装置。
【請求項７】
指定されたチャンネルの周波数の信号を受信するチューナ部と、
前記チューナ部が受信した信号をＯＦＤＭ復調するＯＦＤＭ復調手段と、
現在の受信地域を設定する地域設定部と、を有する放送受信装置と、
各地域の隣接地域のデータを含む隣接地域テーブルに基づいて、前記地域設定部に設定された地域の隣接地域を特定する隣接地域特定部と、
各受信地域に対応する放送局のデータを含む地域別放送局テーブルに基づいて、前記隣接地域特定部が特定した隣接地域の放送局のデータを含む隣接地域放送局テーブルを作成する隣接地域放送局テーブル作成部と、
前記隣接地域放送局テーブルに基づいて、前記チューナ部に選局指示を行う制御部と、を有し、前記放送受信装置とデータの送受信を行うサーバと、
を備えることを特徴とする放送受信システム。
【請求項８】
指定されたチャンネルの周波数の信号を受信するチューナ部と、
前記チューナ部が受信した信号をＯＦＤＭ復調するＯＦＤＭ復調手段と、
現在の受信地域を設定する地域設定部と、を有する放送受信装置と、データの送受信を行い、
各地域の隣接地域のデータを含む隣接地域テーブルに基づいて、前記地域設定部に設定された地域の隣接地域を特定する隣接地域特定部と、
各受信地域に対応する放送局のデータを含む地域別放送局テーブルに基づいて、前記隣接地域特定部が特定した隣接地域の放送局のデータを含む隣接地域放送局テーブルを作成する隣接地域放送局テーブル作成部と、
前記隣接地域放送局テーブルに基づいて、前記チューナ部に選局指示を行う制御部と、
を備えたことを特徴とするサーバ。
【発明の詳細な説明】
【技術分野】
【０００１】
本発明は、効率良くチャンネル探索を行うデジタル放送受信装置に関する。
【背景技術】
【０００２】
従来のデジタル放送受信機が行う受信可能なチャンネルの探索方法には、例えば、チャンネルスキャンやエリアプリセット等の方法がある。チャンネルスキャンとは、デジタル放送受信機が、ＵＨＦの１３チャンネルから６２チャンネルまで１チャンネルずつ受信周波数を切り替えながら、各チャンネルが受信可能か否かを調べる機能である。デジタル放送受信機は、受信可能なチャンネルのＮＩＴ（Network Information Table）を取得し、視聴可能なサービスのリストに当該チャンネルを追加する。また、デジタル放送受信機は、スキャンしたチャンネルが受信不可能であれば、次のチャンネルが受信可能か否かを調べる。一方、エリアプリセットでは、デジタル放送受信機が、所定のエリア（例えば都道府県）で受信可能な複数のチャンネルを予め記憶し、ユーザによって入力された郵便番号や市外局番等の情報に対応するエリアで受信可能なチャンネルのリストを呼び出して、設定する。
【０００３】
特許文献１に開示された発明では、ユーザ設定の煩わしさを軽減するために、デジタル放送受信機が、全チャンネルをスキャンして受信可能なチャンネルを検索し、受信可能なチャンネルの放送信号に含まれる地域識別情報毎に受信可能なチャンネル数を算出し、受信可能なチャンネル数が最も多い地域識別情報が示す地域を居住者地域と推定する。
【０００４】
また、特許文献２に開示された発明では、チャンネルスキャンの高速化を図る方法として、受信信号の品質が一定以上のチャンネルを受信可能チャンネル候補として仮登録する予備スキャン処理を行う第１ステップ、及び第１ステップで仮登録された受信可能チャンネル候補に対して選局処理を行い、必要なチャンネル情報を取得して登録する第２ステップを行う。
【０００５】
【特許文献１】特開２００４−３１２２０３号公報
【特許文献２】特開２００２−２１８３３５号公報
【発明の開示】
【発明が解決しようとする課題】
【０００６】
デジタル放送では携帯電話等の携帯電子機器でも安定した視聴を実現できるため、移動中にデジタル放送番組を視聴するニーズが増えている。しかし、特許文献１に開示された発明を携帯電子機器に適用すると、携帯電子機器が位置するエリアが変わる度に全チャンネルのスキャン処理を繰り返す必要がある。また、特許文献２に開示の発明では、受信信号の品質に基づいて受信可能チャンネル候補となるかを判定することによって、１チャンネル当たりの視聴可能判断時間の短縮を図っているが、全チャンネルに対してスキャン処理を行うために効率が悪い。
【０００７】
本発明の目的は、効率良くチャンネル探索を行うデジタル放送受信装置を提供することである。
【課題を解決するための手段】
【０００８】
本発明は、指定されたチャンネルの周波数の信号を受信するチューナ部と、前記チューナ部が受信した信号をＯＦＤＭ復調するＯＦＤＭ復調手段と、現在の受信地域を設定する地域設定部と、各地域の隣接地域のデータを含む隣接地域テーブルに基づいて、前記地域設定部に設定された地域の隣接地域を特定する隣接地域特定部と、各受信地域に対応する放送局のデータを含む地域別放送局テーブルに基づいて、前記隣接地域特定部が特定した隣接地域の放送局のデータを含む隣接地域放送局テーブルを作成する隣接地域放送局テーブル作成部と、前記隣接地域放送局テーブルに基づいて、前記チューナ部に選局指示を行う制御部と、を備えるデジタル放送受信装置を提供する。
【０００９】
上記デジタル放送受信装置は、前記隣接地域テーブル、前記地域別放送局テーブル及び前記隣接地域放送局テーブルの少なくともいずれか１つを取得する情報取得部を備える。
【００１０】
上記デジタル放送受信装置では、前記制御部は、前記隣接地域放送局テーブルが示す放送局に割り当てられた周波数の情報に基づいてチャンネルスキャンを行い、当該デジタル放送受信装置が視聴可能な視聴用チャンネルリストを作成する視聴用チャンネルリスト作成部を備える。
【００１１】
上記デジタル放送受信装置では、前記隣接地域放送局テーブルが示す放送局に割り当てられた周波数の情報に基づいてチャンネルスキャン方向が設定される。
【００１２】
上記デジタル放送受信装置は、前記隣接地域テーブル及び前記地域別放送局テーブルの少なくともいずれか一方を記憶する情報記憶部を備える。
【００１３】
上記デジタル放送受信装置では、前記地域設定部は、前記隣接地域放送局テーブルが示す放送局に割り当てられた周波数の情報に基づいてチャンネルスキャンした結果と、前記チューナ部が受信した地域識別情報とから、各地域の検出率を算出して前記現在の受信地域を特定する。
【００１４】
本発明は、指定されたチャンネルの周波数の信号を受信するチューナ部と、前記チューナ部が受信した信号をＯＦＤＭ復調するＯＦＤＭ復調手段と、現在の受信地域を設定する地域設定部と、を有する放送受信装置と、各地域の隣接地域のデータを含む隣接地域テーブルに基づいて、前記地域設定部に設定された地域の隣接地域を特定する隣接地域特定部と、各受信地域に対応する放送局のデータを含む地域別放送局テーブルに基づいて、前記隣接地域特定部が特定した隣接地域の放送局のデータを含む隣接地域放送局テーブルを作成する隣接地域放送局テーブル作成部と、前記隣接地域放送局テーブルに基づいて、前記チューナ部に選局指示を行う制御部と、を有し、前記放送受信装置とデータの送受信を行うサーバと、を備える放送受信システムを提供する。
【００１５】
本発明は、指定されたチャンネルの周波数の信号を受信するチューナ部と、前記チューナ部が受信した信号をＯＦＤＭ復調するＯＦＤＭ復調手段と、現在の受信地域を設定する地域設定部と、を有する放送受信装置と、データの送受信を行い、各地域の隣接地域のデータを含む隣接地域テーブルに基づいて、前記地域設定部に設定された地域の隣接地域を特定する隣接地域特定部と、各受信地域に対応する放送局のデータを含む地域別放送局テーブルに基づいて、前記隣接地域特定部が特定した隣接地域の放送局のデータを含む隣接地域放送局テーブルを作成する隣接地域放送局テーブル作成部と、前記隣接地域放送局テーブルに基づいて、前記チューナ部に選局指示を行う制御部と、を備えるサーバを提供する。
【発明の効果】
【００１６】
本発明に係るデジタル放送受信装置によれば、隣接地域に存在するチャンネルであることを満たす隣接地域の放送局テーブルを作成する。いわゆる従来のチャンネルスキャン機能では全てのチャンネルについて放送の有無を判定していたが、対象を所定の条件を満たすチャンネルに限定することによって、スキャン時間を短縮することが可能となる。
【００１７】
また、作成された隣接地域の放送局テーブル情報に基づいて順次選局処理を行い、放送が存在した場合に視聴可能なチャンネルリストにデータを登録する手段を持つことにより、視聴用チャンネルリストの作成にかかる時間を短縮することができる。
【００１８】
また、現在視聴中の周波数情報の順方向又は逆方向に次に視聴可能なチャンネルをサーチする機能においても、前記隣接地域の放送局テーブルに存在するデータのみに対してサーチを行うことにより、次に視聴可能なチャンネルの探索にかかる時間を短縮することができる。
【００１９】
また、デジタル放送受信装置に情報取得部を設けることにより、放送局テーブル・隣接地域テーブル及び地域別放送局テーブルの少なくともいずれか１つを放送受信装置の外部にデータベースとして置くことが可能となり、不揮発性メモリの使用量を削減することが可能となる。
【００２０】
また、隣接地域テーブル及び地域別放送局テーブルの少なくともいずれか一方を放送受信装置の内部の情報記憶部に備えることにより、テーブルへのアクセス時間を短縮することができる。
【００２１】
また、デジタル放送受信装置の外部に隣接地域放送局テーブルのデータベースやデータベース作成機能を設置することにより、放送局情報変更などの事態に備えたデータベースの管理を容易に実施することができる。
【００２２】
さらに、隣接地域放送局テーブルの周波数情報に基づいて探索した結果から現在地を推測する地域設定部を持つことにより、ＧＰＳなどを搭載することなく地域を推定することができる。
【発明を実施するための最良の形態】
【００２３】
以下、本発明の実施形態について、図面を参照して説明する。
【００２４】
図１は、本発明に係るデジタル放送受信機の一実施形態の構成例を示すブロック図である。図１に示すデジタル放送受信機は、アンテナ１００と、ＯＦＤＭチューナ部１０１と、多重分離部１０２と、映像復号部１０３と、音声復号部１０４と、放送情報取得部１０５と、制御部１１０と、地域別放送局テーブル記憶部１２０と、隣接地域リスト記憶部１２１とを備える。制御部１１０は、視聴用チャンネルリスト作成部１１１と、地域設定部１１２と、隣接地域特定部１１３と、主制御部１１４と、隣接地域放送局テーブル作成部１１５とを有する。なお、ＯＦＤＭチューナ部１０１は、チューナ部とＯＦＤＭ部とが分かれた構成であっても良い。
【００２５】
アンテナ１００で受信された電波はＯＦＤＭチューナ部１０１に入力される。ＯＦＤＭチューナ部１０１は、制御部１１０によって設定された周波数と合致した周波数の放送信号を選択的に抽出し、当該抽出した放送信号をＯＦＤＭ復調した後、復調されたトランスポートストリーム（ＴＳ）を出力する。多重分離部１０２は、ＯＦＤＭチューナ部１０１から入力されたＴＳを映像データと音声データと放送情報データとにそれぞれ分離する。
【００２６】
映像復号部１０３は、多重分離部１０２から入力された映像データを復号化し、復号映像データを出力する。音声復号部１０４は、多重分離部１０２から入力された音声データを復号化し、復号音声データを出力する。放送情報取得部１０５は、多重分離部１０２から入力された放送情報データを復号化し、復号放送情報データを制御部１１０に出力する。
【００２７】
制御部１１０は、隣接地域の放送局テーブルを作成する。隣接地域リスト記憶部１２１が記憶する隣接地域リストは、地域ＩＤ及び隣接地域ＩＤから構成されるリストである。図２は、隣接地域リストの一例を示す図である。地域別放送局テーブルは、地域ＩＤ及び視聴可能チャンネルから構成されるテーブルである。図３は、地域別放送局テーブルの一例を示す図である。図４は、制御部１１０によって作成された隣接地域放送局テーブルの一例を示す図である。図４に示すように、隣接地域の放送局テーブルは、正の整数である番号ｎ、チャンネルＣＨ及び受信可否判定結果から構成されるリストである。
【００２８】
なお、隣接地域リスト、地域別放送局テーブル及び隣接地域放送局テーブルは、例えばデジタル放送受信装置がネットワークを介してアクセス可能なサーバや、デジタル放送受信機が読み書き可能な記録媒体に格納されても良い。この場合、デジタル放送受信機には情報取得部が設けられる。但し、必ずしもデジタル放送受信機内に全ての情報を記憶する必要はない。
【００２９】
以下、制御部１１０が有する各構成要素について説明する。地域設定部１１２には、デジタル放送受信機が位置する地域が設定される。隣接地域特定部１１３は、現在の地域に隣接する地域の情報を隣接地域リスト記憶部１２１から取得する。隣接地域放送局テーブル作成部１１５は、現在の位置の隣接地域で視聴可能なチャンネルの情報を地域別放送局テーブル記憶部１２０から取得して、隣接地域放送局テーブルを作成する。
【００３０】
主制御部１１４は、特定の条件が満たされたとき、地域設定部１１２から現在の地域を取得し、隣接地域特定部１１３によって隣接地域リスト記憶部１２１から抽出された現在の地域の隣接地域を取得して、隣接地域放送局テーブルを作成する。また、主制御部１１４は、特定の条件が満たされたとき、チャンネルスキャンを実施する。なお、上記特定の条件とは、例えば、地域設定部１１２によって現在の地域が変わったと判断された場合やユーザによる操作が行われた場合等である。また、主制御部１１４は、ユーザ操作に応じてチャンネルサーチを行う。
【００３１】
＜隣接地域放送局テーブル作成方法＞
図４に示す隣接地域の放送局テーブルを作成する制御部１１０の動作について、図５を参照して説明する。図５は、隣接地域の放送局テーブルを作成する制御部１１０の動作を示すフローチャートである。主制御部１１４は、地域設定部１１２に設定された地域情報に基づいて、本実施形態のデジタル放送受信機が位置する地域が変わったかを判定する（ステップＳ２０１）。地域が変わったと判定されたとき、隣接地域特定部１１３は、現在の地域に隣接する地域の情報を隣接地域リスト記憶部１２１から取得して、隣接地域を特定する（ステップＳ２０２）。次に、隣接地域放送局テーブル作成部１１５は、隣接地域で視聴可能なチャンネルの情報を地域別放送局テーブル記憶部１２０から取得して、隣接地域の放送局テーブルを作成する（ステップＳ２０３）。
【００３２】
＜チャンネルスキャン＞
チャンネルスキャンを実施する制御部１１０の動作について、図６を参照して説明する。図６は、チャンネルスキャンを実施する制御部１１０の動作を示すフローチャートである。主制御部１１４は、隣接地域放送局テーブルに割り振った番号ｎ＝１に対応するチャンネルから受信可否判定を実施する。なお、番号ｎの最大値（ＭＡＸ）は、図４に示す隣接地域の放送局テーブルでリスト化されたデータの数とする。
【００３３】
主制御部１１４は、番号ｎを１に初期設定した（ステップＳ６０１）後、番号ｎが最大値未満か否かを判断する（ステップＳ６０２）。主制御部１１４は、番号ｎが最大値以上であればチャンネルスキャンの処理を終了する。一方、主制御部１１４は、番号ｎが最大値未満であればステップＳ６０３に進む。ステップＳ６０３で、主制御部１１４は、隣接地域放送局テーブルのｎ番目に対応するチャンネルの周波数をＯＦＤＭチューナ部１０１に設定して、当該チャンネルの放送の受信を試みる。
【００３４】
主制御部１１４は、ステップＳ６０３における受信可否を判定し（ステップＳ６０４）、受信周波数に対して同期が取れた場合、すなわち該当チャンネルの放送を受信することができた場合にはステップＳ６０５に進み、受信することができなかった場合にはステップＳ６０６に進む。ステップＳ６０５で、視聴用チャンネルリスト作成部１１１は、本実施形態のデジタル放送受信機が視聴可能なチャンネルリスト（視聴用チャンネルリスト）を作成して、視聴用チャンネルリストに当該チャンネルを登録し、ステップＳ６０６に進む。また、ステップＳ６０６で、主制御部１１４は、番号１を１つインクリメントする。ステップＳ６０６を行った後はステップＳ６０２に戻る。
【００３５】
なお、ステップＳ６０４で主制御部１１４が受信可（ＯＫ）と判定する条件としては、ＯＦＤＭチューナ部１０１が受信周波数に対して同期がとれたことに加え、放送局を特定するためにＮＩＴ（Network Information Table）で送信される、全国でユニークに与えられる放送局情報を予め隣接地域放送局テーブルに登録しておき、放送信号を受信した際に取得したＮＩＴと比較した結果、同一であった場合に限定しても良い。また、ＯＦＤＭチューナ部１０１を２つ搭載することにより、通常のデジタル放送視聴機能のバックグラウンドとして上記処理を行っても良い。
【００３６】
このように、受信可能性の高いチャンネルのみスキャンすることによって、効率的にチャンネルスキャン処理を実施することができる。
【００３７】
なお、図７に示すように、主制御部１１４は、ステップＳ６０４で主制御部１１４が受信可（ＯＫ）と判定したチャンネルの放送信号に含まれるＮＩＴから地域識別情報を取得し、取得した地域識別情報が示す地域毎にカウントアップを行っても良い（ステップＳ７０１）。カウントアップの結果に、各地域で実際に放送されている放送局の数を除算することにより、地域毎の視聴可能チャンネルの検出率を得ることができる。
【００３８】
主制御部１１４は、ステップＳ７０１を行った後、視聴可能チャンネルの検出率が最も高い地域に本実施形態のデジタル放送受信機が位置する可能性が高いと推定し、この地域を現在の地域として地域設定部１１２に設定する（ステップＳ７０２）。当該設定は、ユーザに地域を切り替える旨を通知し、ユーザによる操作に応じて確定しても良い。なお、当該地域設定処理の実現方法は、ＧＰＳ・ＶＩＣＳ等の位置情報取得機能等がデジタル放送受信機に設けられていない場合に特に有効であるが、ユーザによる地域設定やＧＰＳ・ＶＩＣＳのような外部の通信システムを持つ位置情報取得機能を使用しても良い。
【００３９】
＜チャンネルサーチ＞
チャンネルサーチを実施する制御部１１０の動作について、図８を参照して説明する。図８は、チャンネルサーチを実施する制御部１１０の動作を示すフローチャートである。なお、以下の説明で、隣接地域放送局テーブルは、物理ＣＨの小さいものから順に昇順のリストであるとする。
【００４０】
主制御部１１４は、現在視聴中の物理チャンネルを取得し（ステップＳ８０１）、隣接地域放送局テーブル内での位置を検出する（ステップＳ８０２）。現在の物理チャンネルが２２ＣＨであり、かつ図４に示すような隣接地域放送局テーブルを保持していると仮定した場合、現在視聴中であるチャンネルの隣接地域放送局テーブル内での位置は番号ｎ＝３と４の間である。
【００４１】
主制御部１１４は、ユーザのサーチ指定方向が昇順であるかを判定する（ステップＳ８０３）。サーチ指定方向が昇順であった場合、主制御部１１４は、現在位置がテーブルの最後であるか判定する（ステップＳ８０４）。現在位置がテーブルの最後である場合、主制御部１１４は、隣接地域放送局テーブルの先頭の物理チャンネル（図４の場合は１２ＣＨ）の周波数をＯＦＤＭチューナ部１０１に設定して、当該チャンネルの放送の受信を試みる（ステップＳ８０５）。一方、現在位置がテーブルの最後以外の場合、主制御部１１４は、現在位置の直後のチャンネル、すなわち上記例では番号ｎ＝４に対応する２５ＣＨの周波数をＯＦＤＭチューナ部１０１に設定して、当該チャンネルの放送の受信を試みる（ステップＳ８０６）。主制御部１１４は、ステップＳ８０５又はステップＳ８０６での選局が成功したかを判定し（ステップＳ８０７）、成功した場合はチャンネルサーチの処理を終了し、失敗した場合は現在位置を１つインクリメントした（ステップＳ８０８）後、ステップＳ８０４に戻る。
【００４２】
ステップＳ８０３での判定の結果、ユーザのサーチ指定方向が降順であった場合、主制御部１１４は、現在位置がテーブルの最初であるか判定する（ステップＳ８０９）。現在位置がテーブルの最初である場合、主制御部１１４は、隣接地域放送局テーブルの最後尾の物理チャンネル（図４の場合は３８ＣＨ）の周波数をＯＦＤＭチューナ部１０１に設定して、当該チャンネルの放送の受信を試みる（ステップＳ８１０）。一方、現在位置がテーブルの最初以外の場合、主制御部１１４は、現在位置の直前のチャンネル、すなわち上記例では番号ｎ＝３に対応する１９ＣＨの周波数をＯＦＤＭチューナ部１０１に設定して、当該チャンネルの放送の受信を試みる（ステップＳ８１１）。主制御部１１４は、ステップＳ８１０又はステップＳ８１１での選択が成功したかを判定し（ステップＳ８１３）、成功した場合はチャンネルサーチの処理を終了し、失敗した場合は現在位置を１つデクリメントした（ステップＳ８１２）後、ステップＳ８０９に戻る。
【００４３】
以上説明したように、本実施形態のデジタル放送受信機によれば、受信可能なチャンネルの検索に要する時間を短縮できる。その結果、ユーザにとっての利便性の向上を実現できる。
【産業上の利用可能性】
【００４４】
本発明に係るデジタル放送受信装置は、受信可能なチャンネルの探索を行う移動体機器に搭載されたデジタル放送受信装置等として有用である。
【図面の簡単な説明】
【００４５】
【図１】本発明に係るデジタル放送受信機の一実施形態の構成例を示すブロック図
【図２】隣接地域リストの一例を示す図
【図３】地域別放送局テーブルの一例を示す図
【図４】制御部によって作成された隣接地域放送局テーブルの一例を示す図
【図５】隣接地域の放送局テーブルを作成する制御部の動作を示すフローチャート
【図６】チャンネルスキャンを実施する制御部１１０の動作を示すフローチャート
【図７】チャンネルスキャン及び地域設定を実施する制御部１１０の動作を示すフローチャート
【図８】チャンネルサーチを実施する制御部１１０の動作を示すフローチャート
【符号の説明】
【００４６】
１００  アンテナ
１０１  ＯＦＤＭチューナ部
１０２  多重分離部
１０３  映像復号部
１０４  オーディオ復号部
１０５  放送情報取得部
１１０  制御部
１１１  視聴用チャンネルリスト作成部
１１２  地域設定部
１１３  隣接地域放送局テーブル作成部
１１４  主制御部
１１５  隣接地域特定部
１２０  地域別放送局テーブル記憶部
１２１  隣接地域リスト記憶部
【図１】
2009253813.tif 000003
【図２】
2009253813.tif 000004
【図３】
2009253813.tif 000005
【図４】
2009253813.tif 000006
【図５】
2009253813.tif 000007
【図６】
2009253813.tif 000008
【図７】
2009253813.tif 000009
【図８】
2009253813.tif 000010